(57)【要約】  レッグウエア（１００）は、金属糸を含む熱伝導・熱伝達領域（２）を有し、熱伝導・熱伝達領域（２）は、身体（５０）の高温部位から低温部位へ向けて熱を伝導するように設けられている。
2018225464.tif 000002
【特許請求の範囲】
【請求項１】
金属糸を含む熱伝導・熱伝達領域を有し、
前記熱伝導・熱伝達領域は、身体の高温部位から低温部位へ向けて熱を伝導するように設けられていることを特徴とする衣料品。
【請求項２】
前記熱伝導・熱伝達領域は、前記金属糸と前記金属糸の周囲を覆う被覆繊維とからなる複合糸によって形成されていることを特徴とする請求項１に記載の衣料品。
【請求項３】
前記複合糸は、複数の前記金属糸が前記被覆繊維によって覆われてなることを特徴とする請求項２に記載の衣料品。
【請求項４】
前記被覆繊維は、連続的な編目で構成された編地であることを特徴とする請求項２または３に記載の衣料品。
【請求項５】
前記編地に用いる編成糸は、４０デニール以下の合成繊維であることを特徴とする請求項４に記載の衣料品。
【請求項６】
前記熱伝導・熱伝達領域は、前記被覆繊維が溶融されて形成されていることを特徴とする請求項２から５のいずれか１項に記載の衣料品。
【請求項７】
前記衣料品は、レッグウエアであることを特徴とする請求項１から６のいずれか１項に記載の衣料品。
【請求項８】
前記熱伝導・熱伝達領域は、少なくとも、
足を裏側から見たときに見える範囲の領域である足の裏側領域から、
前記足の裏側領域以外の領域である足の甲側領域にわたって配置されていることを特徴とする請求項７に記載の衣料品。
【請求項９】
前記足の裏側領域に対応して配置される前記熱伝導・熱伝達領域が、前記足の踵接地部の少なくとも一部、および前記足の足指付け根接地部の少なくとも一部のうち、少なくとも一方を覆うように配置されていることを特徴とする請求項８に記載の衣料品。
【請求項１０】
前記足の甲側領域に対応して配置される前記熱伝導・熱伝達領域が、前記足の足甲部から、前記足の足首部にわたって配置されていることを特徴とする請求項８または９に記載の衣料品。
【発明の詳細な説明】
【技術分野】
【０００１】
本発明は、レッグウエアなどの衣料品に関する。
【背景技術】
【０００２】
従来、身体に着用した衣料品の温度を調整するための様々な技術が提案されている。例えば、特許文献１には、電力源から電流が加えられた時に伝導性の領域を加熱する加熱靴下について記載されている。上記加熱靴下は、電流が加えられることにより上記領域を温めることができる。特許文献２には、金属酸化物として、少なくともアルミナ、およびシリカを含むプラチナが含有されているポリウレタン弾性繊維が混紡されている繊維材料からなる靴下について記載されている。上記金属酸化物が３０℃前後の温度範囲となると上記靴下から赤外線が放射されるので、靴下の保温効果を高めることができる。
【先行技術文献】
【特許文献】
【０００３】
【特許文献１】日本国公開特許公報「特表２００７−５２９２３８号公報（２００７年１０月２５日公表）」
【特許文献２】日本国公開特許公報「特開平６−４１８０１号公報（１９９４年２月１５日公開）」
【発明の概要】
【発明が解決しようとする課題】
【０００４】
しかしながら、特許文献１および２に記載されている技術では、靴下を温める、または保温することはできるが、靴下自体の温度が高くなった場合、温度が高くなった部分から熱を放出することができない。そのため、例えば靴下を着用している人が運動などを行うことにより、温度が上昇した靴下の一部の温度を下げることができないという問題がある。【０００５】
本発明の一態様は、上記課題に鑑みなされたものであり、熱を移動させ、衣料品の着用時の快適性を向上させることを目的とする。
【課題を解決するための手段】
【０００６】
上記の課題を解決するために、本発明の一態様に係る衣料品は、金属糸を含む熱伝導・熱伝達領域を有し、前記熱伝導・熱伝達領域は、身体の高温部位から低温部位へ向けて熱を伝導するように設けられていることを特徴とする。
【発明の効果】
【０００７】
本発明の一態様によれば、熱を移動させ、衣料品の着用時の快適性を向上させる効果を奏する。
【図面の簡単な説明】
【０００８】
【図１】（ａ）は本発明の実施形態１に係るレッグウエアの右側面図であり、（ｂ）は（ａ）を足裏側からみた平面図である。
【図２】（ａ）は上記レッグウエアの複合糸を一部破断して示す図であり、（ｂ）は上記複合糸の縦断面図である。
【図３】上記複合糸の具体的構造の一例を示す写真である。
【図４】上記レッグウエアの変形例を示す右側面図である。
【図５】（ａ）は上記レッグウエアの他の変形例を示す右側面図であり、（ｂ）は（ａ）を足裏側からみた平面図である。
【図６】（ａ）は上記レッグウエアのさらに他の変形例を示す右側面図であり、（ｂ）は（ａ）を足裏側からみた平面図である。
【図７】（ａ）は上記レッグウエアのさらに他の変形例を示す右側面図であり、（ｂ）は（ａ）を足裏側からみた平面図である。
【発明を実施するための形態】
【０００９】
〔実施形態１〕
本発明の実施形態１について、図１〜図３に基づいて以下に説明する。なお、本実施形態では、足５０（身体）に着用するレッグウエアを例に挙げて説明するが、本発明は、レッグウエアに限らず、身体に直接着用する衣料品に適用できる。また、以下では、レッグウエア１００を編物で形成するものとして説明しているが、レッグウエア１００は編物に限らず織物としても形成することができる。
【００１０】
レッグウエア１００は、金属線の熱伝導性を利用して、身体の高温部位から低温部位へ熱を移動させることができる。言い換えると、レッグウエア１００は、レッグウエア１００内の温かい部分を冷却し、冷たい部分を温める効果が生じる。また、レッグウエア１００は、金属線の熱伝達性を利用して、身体から金属線へ、または金属線から身体へ熱を伝達させることができる。
【００１１】
金属線は、被覆金属線であることが好ましい。たとえば、エナメル金属線を使用すると、洗濯耐性を高めることができる。
【００１２】
（レッグウエアの構成）
図１の（ａ）は本発明の実施形態１に係るレッグウエア１００の右側面図であり、図１の（ｂ）は図１の（ａ）を足裏側からみた平面図である。レッグウエア１００（衣料品）は、図１の（ａ）および図１の（ｂ）に示すように、本体１、および熱伝導・熱伝達領域２を備えている。
【００１３】
本体１は、レッグウエア１００のうち、熱伝導・熱伝達領域２以外の部分を形成している。本体１は、例えば、綿、毛、アクリルなどの天然繊維、または合成繊維を１若しくは２以上混紡した糸、或いはこれらの糸にセラミックを混合または付着した糸など、適宜所望の糸を用いて所定のサイズおよび形状に編成される。
【００１４】
本体１は、フート部２０、およびレッグ部３０を備えている。フート部２０はレッグウエア１００に挿入される足のうち、足首（足首部）から爪先までの足部側を覆う。フート部２０は、挿入される足の爪先を覆う爪先部２１を有する。爪先部２１は一端が袋状に編成されている。レッグ部３０はレッグウエア１００に挿入される足のうち、足首から下腿部側を覆う。レッグ部３０は一端に開口部３１を有し、他端はフート部２０に隣接して編成されている。レッグウエア１００は、例えば、レッグ部３０が膝下まであるハイソックスでもあってよいし、レッグ部３０が短いローソックスであってもよい。
【００１５】
（熱伝導・熱伝達領域）
熱伝導・熱伝達領域２は、本体１に設けられた、金属糸１３を含む帯状の領域である。また、熱伝導・熱伝達領域２は、身体の高温部位（温度の高い部分）から低温部位（温度が低い部分）へ向けて、熱を伝導させるように設けられている。
【００１６】
具体的には、熱伝導・熱伝達領域２は、金属糸１３を芯糸１１とする複合糸１０により編成されている。複合糸１０について詳しくは後述する。また、熱伝導・熱伝達領域２は、図１の（ａ）および図１の（ｂ）に示すように、爪先部２１に近接する位置において、足の裏側から足の甲側にかけて環状に形成されている。言い換えると、熱伝導・熱伝達領域２は、少なくとも足を裏側から見たときに見える範囲の領域である足の裏側領域から、足の裏側領域以外の領域である足の甲側領域にわたって配置されている。なお、足の裏側領域は、レッグウエア１００において足の温度が高くなる部分に対応する領域であり、足の甲側領域は、レッグウエア１００において、足の温度が低くなる部分に対応する領域である。また、足を裏側から見たときに見える範囲の領域とは、例えば、図１の（ｂ）に示す領域である。
【００１７】
熱伝導・熱伝達領域２は、金属糸１３を含むため、本体１に比べて熱伝導性・熱伝達性が高くなっている。また、熱伝導・熱伝達領域２における金属糸１３は、熱伝導・熱伝達領域２において、足の温度が相対的に高い部分に接触する箇所から、足の温度が相対的に低い部分に接触する箇所まで、途切れることなく配置されている。そのため、熱伝導・熱伝達領域２において、足の温度が相対的に高い部分に接触する箇所において、足の熱が金属糸１３に熱伝達される。また、金属糸１３の足の温度が相対的に高い部分に接触する箇所から足の温度が相対的に低い部分に接触する箇所に熱伝導し、足の温度が相対的に低い部分に接触する箇所において金属糸１３の熱が足に熱伝達される。言い換えると、熱伝導・熱伝達領域２は、その熱伝導性・熱伝達性により、足の温度が高い部分から低い部分へ熱を移動させることができる。つまり、レッグウエア１００は、熱伝導・熱伝達領域２を介して、足（身体）から発生した熱を温度の低い部分に移動させることができる。そのため、レッグウエア１００は、例えばランニングやサッカーなどの運動を行った後、熱くなった足の裏側の熱を足の甲（足甲部）側に移動させることで、足の裏側の温度を下げることができる。地面を蹴り出す際に、足の裏側のうち、足指付け根部（趾球部・足指付け根接地部）に他の部分よりも加重がかかりやすく、靴の底部との間で摩擦熱が生じやすい。そのため、足指付け根部に熱伝導・熱伝達領域を配置することで効率よく足の裏側の熱を放出することができる。
【００１８】
なお、熱伝導・熱伝達領域２の帯の幅（太さ）は任意に設定することができ、帯の幅が大きいほど熱伝導・熱伝達領域２の熱伝導性および熱伝達性が高くなる。
【００１９】
（複合糸の構成）
図２の（ａ）は、レッグウエア１００の複合糸１０を一部破断して示す図であり、図２の（ｂ）は複合糸１０の縦断面図である。図３は、図２の（ａ）に示される複合糸１０の具体的構造の一例を示す写真である。複合糸１０は、図２の（ａ）および図２の（ｂ）に示すように、芯糸１１と、カバー１２（被覆繊維）とを備えている。
【００２０】
芯糸１１は、多数本の金属糸１３を集束した金属糸束である。金属糸１３としては、例えば、銅、アルミ、または銀などを用いることができる。熱伝導性・熱伝達性、および腐食性などを考慮すると、金属糸１３としては銅線を用いることが望ましい。芯糸１１は、１本の金属糸１３から構成されていてもよく、複数本の金属糸１３から構成されていてもよい。金属糸１３（銅線）の太さは１２０μm以下が望ましく、図３に示すように、複数の金属糸、例えば、銅線４本を芯糸１１とした場合の１本の太さは、６０μｍ程度であることが望ましい。
【００２１】
芯糸１１の周囲はカバー１２によって覆われている。カバー１２は、合成繊維であり、ポリエチレンなどの熱伝導率の高い繊維が望ましい。また、コストを考慮して、カバー１２にポリエステルを使用してもよい。
【００２２】
カバー１２は、例えば、図３に示すように、複数のフィラメントで構成された編成糸を用いて緯編み（ニット）することによって、芯糸１１の周囲を覆う（カバリング）。この場合、編地を構成する編成糸は４０デニール以下であることが望ましい。編成糸が４０デニール以下の場合、高温部位の熱を素早く芯糸１１へ伝導することが可能となるため、熱伝達の効率が向上する。一方、編成糸が４０デニールを超える場合、高温部位と芯糸１１との間隔が相対的に広くなり、その結果、高温部位と芯糸１１との間に存在する空間（空気層）が大きくなる。そのため、編成糸が４０デニールを超える場合、熱伝達の効率が低下する。カバー１２によるカバリングは、ニットに限定されない。カバー１２は、金属糸１３の編織を容易にするために、表面の摩擦係数を金属糸１３単体よりも低くすること、および金属糸１３の塑性変形を防ぐことを目的として設ける。また、カバー１２により金属糸１３の周囲を覆うことで、熱伝導・熱伝達領域２の肌触りを向上させることができる。
【００２３】
カバー１２の合成繊維を緯編みとすると、芯糸１１に対するカバー１２の被覆率を高めることができる。その結果、カバー１２の隙間から芯糸１１が外方へ飛び出てしまうことを抑制することができる。ここで、過剰に細い編成糸を用いた場合、カバー１２が薄くなるため芯糸１１の塑性変形を防止することができず、また、編成糸の強度が低いためカバー１２から芯糸１１が飛び出すおそれがある。そのため、２０デニール以上の編成糸を用いることが望ましい。
【００２４】
また、緯編みの場合、縦方向の芯糸１１をカバー１２で巻き込むように編目を編成する。そのため、カバー１２によって芯糸１１を比較的に強く締め付けることができ、芯糸１１に対するカバー１２の密着度（締め付け力）を高めることができる。複合糸１０を編成する際にカバー１２のテンションの強弱を調節することで、芯糸１１に対してカバー１２が適切に密着するように編成することができる。その結果、熱伝導・熱伝達領域２の熱伝導性・熱伝達性を向上させることができる。
【００２５】
また、カバー１２を溶融する場合、溶融したカバー１２の金属糸束内部への浸透性（浸透度）を高めることができ、金属糸束とカバー１２との密着度を高めることができる。
【００２６】
それに対して、カバー１２の合成繊維を緯編みした場合、芯糸１１に合成繊維を直接巻き付けるほどの締付力はないので、芯糸１１を傷つけることを抑制することができる。
【００２７】
〔変形例〕
レッグウエア１００の変形例であるレッグウエア１００Ａ・１００Ｂ・１００Ｃ・１００Ｄについて、図４、図５の（ａ）・（ｂ）、図６の（ａ）・（ｂ）、および図７の（ａ）・（ｂ）に基づき説明する。図４は、レッグウエア１００の変形例であるレッグウエア１００Ａを示す右側面図である。図５の（ａ）はレッグウエア１００の他の変形例であるレッグウエア１００Ｂを示す右側面図であり、図５の（ｂ）は図５の（ａ）を足裏側からみた平面図である。図６の（ａ）はレッグウエア１００のさらに他の変形例を示すレッグウエア１００Ｃの右側面図であり、図６の（ｂ）は図６の（ａ）を足裏側からみた平面図である。図７の（ａ）はレッグウエア１００のさらに他の変形例を示すレッグウエア１００Ｄの右側面図であり、図７の（ｂ）は図７の（ａ）を足裏側からみた平面図である。
【００２８】
レッグウエア１００Ａは、レッグウエア１００と比較し、熱伝導・熱伝達領域２に代えて、熱伝導・熱伝達領域２ａを備える点が異なり、その他の構成は同様である。レッグウエア１００Ａは、レッグ部３０が膝下まであるハイソックスである。熱伝導・熱伝達領域２ａは、フート部２０の爪先部２１に近接する位置の足の裏側領域から、レッグ部３０の開口部３１に近接する位置に向かい、帯状かつ螺旋状に形成されている。言い換えると、熱伝導・熱伝達領域２ａは、足の高温部位から足の低温部位にわたって配置されている。
【００２９】
熱伝導・熱伝達領域２ａにおいて、温度が相対的に高い部分からの距離が長くなる程、温度が相対的に高い部分と温度が相対的に低い部分との温度差が大きくなる。熱伝導・熱伝達領域２ａは熱伝導・熱伝達領域２と比較して長さが長いため、温度が高い部分と低い部分との温度差が大きくなり、熱の移動が行われやすくなる。その結果、運動などにより足の裏側の温度が高くなった場合、素早く足の裏側の熱を開口部３１側に移動させることができる。
【００３０】
また、逆に、冬などで足の爪先側の温度が低くなった場合、太陽光や体温などで温められた開口部３１側の熱を、人体の末端で冷えやすい爪先部２１側に移動させることできる。言い換えると、レッグウエア１００Ａを用いることで、レッグウエア１００Ａの温度の高い部分を冷やし、温度の低い部分を温めることができる。
【００３１】
レッグウエア１００Ｂは、レッグウエア１００と比較し、熱伝導・熱伝達領域２に代えて、熱伝導・熱伝達領域２ｂを備える点が異なり、その他の構成は同様である。レッグウエア１００Ｂは、レッグ部３０が膝下まであるハイソックスである。熱伝導・熱伝達領域２ｂは、図５の（ａ）および図５の（ｂ）に示すように、足裏部２ｂ１、および側部２ｂ２を備えている。
【００３２】
足裏部２ｂ１は、爪先部２１に近接する位置（即ち、足指付け根部）において、足の甲の内側（親指側）から足の甲の外側（小指側）に向かい、足の裏側領域を通って帯状に形成されている。側部２ｂ２は下腿部の内側および外側に沿って２箇所に形成されている。下腿部の内側の側部２ｂ２は、足裏部２ｂ１の内側の端部から開口部３１に向かい、帯状に延伸している。下腿部の外側の側部２ｂ２は、足裏部２ｂ１の外側の端部から開口部３１に向かい、帯状に延伸している。言い換えると、熱伝導・熱伝達領域２ｂは、足の高温部位から足の低温部位にわたって配置されている。特に、歩行などによる蹴り出し時に摩擦熱が生じる足指付け根部から、冷えを防止すべき足首部に至り熱伝達がなされるよう配置されている。
【００３３】
熱伝導・熱伝達領域２ｂは熱伝導・熱伝達領域２と比較して長さが長くなるため、熱の移動が行われやすくなる。その結果、運動などにより足の裏側の温度が高くなった場合、熱伝導・熱伝達領域２ｂにより素早く足の裏側の熱を開口部３１側に移動させることができる。
【００３４】
レッグウエア１００Ｃは、レッグウエア１００と比較し、熱伝導・熱伝達領域２に代えて、熱伝導・熱伝達領域２ｃを備える点が異なり、その他の構成は同様である。レッグウエア１００Ｃは、レッグ部３０が足首までのローソックスである。熱伝導・熱伝達領域２ｃは、図６の（ａ）および図６の（ｂ）に示すように、足裏部２ｃ１、側部２ｃ２、および背面部２ｃ３を備えている。
【００３５】
背面部２ｃ３は、レッグウエア１００Ｃのアキレス腱側において、踝に近接する位置に、レッグウエア１００Ｃを着用した際に地面に対して略平行となるように、帯状に足の内側から外側に向かって形成されている。側部２ｃ２は足の甲の内側（親指側）、および外側（小指側）の２箇所に沿って形成されている。足の甲の内側の側部２ｃ２は、背面部２ｃ３の内側の端部から、爪先部２１に向かい帯状に延伸している。足の甲の外側の側部２ｃ２は、背面部２ｃ３の外側の端部から、爪先部２１に向かい帯状に延伸している。
【００３６】
足裏部２ｃ１は、踵（踵部）または踵に近接する位置において、足の甲の内側（親指側）から足の甲の外側（小指側）に向かい、足裏側領域を通って帯状に形成されている。足裏部２ｃ１の内側の端部は足の甲の内側の側部２ｃ２に接続されており、足裏部２ｃ１の外側の端部は足の甲の外側の側部２ｃ２に接続されている。言い換えると、熱伝導・熱伝達領域２ｃは、足の高温部位から足の低温部位にわたって配置されている。
【００３７】
したがって、熱伝導・熱伝達領域２ｃによれば、足の裏側において踵側（踵接地部）の温度が高くなった場合でも、熱伝導・熱伝達領域２ｃにより素早く足の裏側の熱を足の甲、もしくは開口部３１側に移動させることができる。
【００３８】
レッグウエア１００Ｄは、レッグウエア１００と比較し、熱伝導・熱伝達領域２に代えて、熱伝導・熱伝達領域２ｄを備える点が異なり、その他の構成は同様である。レッグウエア１００Ｄは、レッグ部３０が足首までのローソックスである。
【００３９】
熱伝導・熱伝達領域２ｄは、図７の（ａ）および図７の（ｂ）に示すように、足の裏側において、足の中指の付け根付近から、踵にかけて延伸し、さらに開口部３１側にアキレス腱に沿って延伸している。
【００４０】
そのため、熱伝導・熱伝達領域２ｄによれば、足の裏側において温度が高くなった場合でも、熱伝導・熱伝達領域２ｄにより素早く足の裏側の熱を開口部３１側に移動させることができる。特に、歩行などによる蹴り出し時に摩擦熱が生じる足指付け根部から、着地時に摩擦熱が生じる踵部を介して、冷えを防止すべき足首部に至り熱伝達がなされるよう配置されている。
【００４１】
〔実施形態２〕
本発明の実施形態２に係るレッグウエア１００Ｅついて、図１に基づいて以下に説明する。レッグウエア１００Ｅは、レッグウエア１００と比較し、熱伝導・熱伝達領域２に代えて、２ｅを備える点が異なり、その他の構成は同様である。
【００４２】
熱伝導・熱伝達領域２ｅにおいて、複合糸１０のカバー１２は熱可塑性繊維を含んでいる。さらに、熱伝導・熱伝達領域２ｅは、カバー１２を溶融することにより形成されている。カバー１２を溶融することで、金属糸１３とカバー１２との間の空気層をなくし、カバー１２全体と金属糸１３とを密着させることができる。その結果、熱伝導・熱伝達領域２ｅの熱伝導性・熱伝達性が向上し、熱の移動のスピードを上げることができる。
【００４３】
レッグウエア１００Ｅは、本体１と熱伝導・熱伝達領域２ｅとを備えており、熱伝導・熱伝達領域２ｅと本体１とは、同一面内に連続的に一体化されて形成されている。レッグウエア１００Ｅは、熱伝導・熱伝達領域２ｅの領域に位置する複合糸１０を熱処理することにより、本体１と熱伝導・熱伝達領域２ｅとが連続的に一体化されて形成される。そのため、外部部材を付加することなく、レッグウエア１００Ｅの所望の箇所に熱伝導・熱伝達領域２ｅを形成することができるので、外部部材の付加により生じる不具合を回避することができる。
【００４４】
また、熱伝導・熱伝達領域２ｅは、熱可塑性繊維を繊維が残らないように完全に溶融させ、本体１と熱伝導・熱伝達領域２ｅとの境界の糸の周りを包み込むように、芯糸に溶融させた熱可塑性繊維を融着させることが望ましい。これにより、本体１と熱伝導・熱伝達領域２ｅとの境目の結合がより強固になる。
【００４５】
また、熱伝導・熱伝達領域２ｅの全面（表面側および裏面側）を溶融し加工することで、面状の熱伝導・熱伝達領域２ｅを形成することができる。これにより、熱伝導・熱伝達領域２ｅの面積が広がり、熱伝導性・熱伝達性を向上させることができる。
【００４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００４７】
〔まとめ〕
本発明の一態様に係る衣料品は、金属糸を含む熱伝導・熱伝達領域を有し、前記熱伝導・熱伝達領域は、身体の高温部位から低温部位へ向けて熱を伝導するように設けられていることを特徴とする。
【００４８】
ここで、「熱伝導・熱伝達領域」とは、身体から熱が伝達され、かつ、伝達された熱を伝導する領域である。
【００４９】
上記構成によれば、熱伝導性・熱伝達性が高い金属糸を含む熱伝導・熱伝達領域によって、高温部位で生じた熱を低温部位へ効率的に移動させることができる。その結果、温度の平準化を図ることが可能となるため、着用時の快適性を向上させた衣料品を実現することができる。
【００５０】
上記衣料品では、前記熱伝導・熱伝達領域は、前記金属糸と前記金属糸の周囲を覆う被覆繊維とからなる複合糸によって形成されていることが好ましい。
【００５１】
上記構成によれば、金属糸の周囲が被覆繊維で覆われた複合糸を用いることにより、金属糸単体に比べて複合糸の表面の摩擦係数が低くなるため、熱伝導・熱伝達領域の編織が容易になる。また、被覆繊維によって金属糸の塑性変形を防ぐことができるため、衣料品の形状が保ちやすくなる。さらに、金属糸が直接肌に触れないため、着用時の衣料品の肌触りを向上させることができる。
【００５２】
上記衣料品では、前記複合糸は、複数の前記金属糸が前記被覆繊維によって覆われてなることが好ましい。上記構成によれば、熱伝導・熱伝達の表面積が増え、熱伝導性・熱伝達性が向上する。
【００５３】
上記衣料品では、前記被覆繊維は、連続的な編目で編成された編地であることが好ましい。上記構成によれば、編機による編成時における複合糸の編立性を向上させることができるとともに、均一に金属糸を被覆することができる。
【００５４】
上記衣料品では、前記編地に用いる編成糸は、４０でデニール以下の糸であることが好ましい。上記構成によれば、熱伝導・熱伝達領域の熱伝導性と熱伝達性を高めることができる。
【００５５】
上記衣料品では、前記熱伝導・熱伝達領域は、前記被覆繊維が溶融されて形成されていることが好ましい。上記構成によれば、金属糸を覆う被覆繊維が溶融されることにより熱伝導・熱伝達領域が形成されているため、金属糸と被覆繊維とを密着し、熱伝導・熱伝達領域の熱伝導性・熱伝達性を高めることができる。
【００５６】
上記衣料品は、レッグウエアであることが好ましい。上記構成によれば、着用時の快適性を向上させたレッグウエアを実現することができる。
【００５７】
上記衣料品では、前記熱伝導・熱伝達領域は、少なくとも足を裏側から見たときに見える範囲の領域である足の裏側領域から、前記足の裏側領域以外の領域である足の甲側領域にわたって配置されていることが好ましい。運動などを行った場合、通常、足の裏側領域の温度が足の甲側領域の温度よりも相対的に高くなる。上記構成によれば、熱伝導・熱伝達領域が、少なくとも足の裏側領域から足の甲側領域にわたって配置されているため、足の裏側領域（高温部位）から足の甲側領域（低温部位）へ向けて、熱を効率的に移動させることができる。
【００５８】
上記衣料品では、前記足の裏側領域に対応して配置される前記熱伝導・熱伝達領域が、前記足の踵接地部の少なくとも一部、および前記足の足指付け根接地部の少なくとも一部のうち、少なくとも一方を覆うように配置されていることが好ましい。上記構成によれば、歩行または運動時に接地面との間で生じる摩擦熱を効率的に放出することができる。
【００５９】
上記衣料品では、前記足の甲側領域に対応して配置される前記熱伝導・熱伝達領域が、前記足の足甲部から、前記足の足首部にわたって配置されていることが好ましい。上記構成によれば、足の裏側領域で生じた熱を、足甲部を介して足首部へ伝導することにより、冷えによる足首部の負担を減らし、歩行または運動効果を高めることができる。
【符号の説明】
【００６０】
２・２ａ・２ｂ・２ｃ・２ｄ・２ｅ  熱伝導・熱伝達領域
１０  複合糸
１２  カバー（被覆繊維）
１３  金属糸
５０  足（身体）
１００・１００Ａ・１００Ｂ・１００Ｃ・１００Ｄ・１００Ｅ  レッグウエア（衣料品）
【図１】
2018225464.tif 000003
【図２】
2018225464.tif 000004
【図３】
2018225464.tif 000005
【図４】
2018225464.tif 000006
【図５】
2018225464.tif 000007
【図６】
2018225464.tif 000008
【図７】
2018225464.tif 000009
【国際調査報告】
2018225464.tif 000010
2018225464.tif 000011
2018225464.tif 000012